(57)【特許請求の範囲】
【請求項１】
子供が座るシート本体と、
該シート本体をリクライニング方向に移動可能に保持しているフレームと、
該シート本体のリクライニング方向の移動を阻止して該シート本体を該フレームに固定させるロック手段と、
該ロック手段のロックを解除するためのロック解除レバーとを備えてなるチャイルドシートであって、さらに、
該チャイルドシートを車両の座席に固定するために、該チャイルドシートに設けられた巻取機と、該巻取機から引き出され車両座席の被係止部材に係止される紐状体と、該巻取機からの該紐状体の引出しを阻止する引出阻止手段を備えてなるチャイルドシートにおいて、
前記ロック解除レバーをロック解除方向に移動させたときに該引出阻止手段の引出阻止が解除されるように構成したチャイルドシートであって、
前記ロック解除レバーをロック解除方向に移動させると、まず前記シート本体のロック手段がロック解除され、その後、前記引出阻止手段の引出阻止が解除されることを特徴とするチャイルドシート。
【請求項２】
請求項１において、前記巻取機は、
紐状体が巻き付けられる巻取軸と、
該巻取軸を巻取方向に回転させるためのハンドルと、
該巻取軸と一体に回転する、外周面に歯を有したラチェットホイールと、
該ラチェットホイールの歯に係合して該巻取軸の紐状体引出方向への回転を阻止する姿勢と、該歯から離反して該巻取軸の回転を許容する姿勢とをとりうるラチェットホイール回転阻止部材と
を備えてなり、該ラチェットホイール回転阻止部材が前記ロック解除レバーのロック解除方向への移動によって該歯から離反することを特徴とするチャイルドシート。
【請求項３】
請求項２において、前記ハンドルから前記巻取軸に伝達されるトルクが所定値以上になるとハンドルを空転させる手段を設けたことを特徴とするチャイルドシート。
【発明の詳細な説明】
【０００１】
【発明の属する技術分野】
本発明は幼児を着座させるためのチャイルドシートに係り、詳しくは車両の座席に被係止部材を設けておき、チャイルドシート固定用ベルトを該被係止部材に係止させ、次いでベルトを緊張させてチャイルドシートを固定するようにしたチャイルドシートに関する。
【０００２】
【従来の技術】
幼児を着席させるためのチャイルドシートを車両の座席に固定する従来構造として、車両の座席に被係止部材を設けておき、チャイルドシート内に設けられたベルト巻取部材からベルトを引き出して該ベルトの先端を該被係止部材に係止し、次いで該巻取部材によってベルトをきつく巻き取ってチャイルドシートを座席に固定するようにしたものがある（特開平５−２５４３６７号公報）。この従来例においては、円盤形の操作ノブを手で把んで回転させることによりベルトを巻き取るようにしている。
【０００３】
【発明が解決しようとする課題】
チャイルドシートとしてリクライニング可能に構成したものがある。このチャイルドシートは、子供が座るシート本体と、このシート本体をスライド可能に保持しているフレームと、このフレームのスライドをロックするためのロック装置とを備えており、シート本体をフレーム上で円弧を描くようにスライドさせることによってシート本体をリクライニングさせる。
【０００４】
このようなリクライニング可能なチャイルドシートを上記特開平５−２５４３６７号のベルト巻取機構によって車両座席に固定した場合、シート本体のリクライニング角度を変更するときには、ベルト巻取機構のベルトを緩める操作と、リクライニング機構のロック装置のロックを解除する操作との２操作が必要であり、操作が甚だ煩雑である。
【０００５】
本発明は、かかる従来技術に鑑みてなされたものであり、車両座席に固定されたチャイルドシートのリクライニング角度を容易に変えることができるようにすることを目的とする。
【０００６】
【課題を解決するための手段】
本発明のチャイルドシートは、子供が座るシート本体と、該シート本体をリクライニング方向に移動可能に保持しているフレームと、該シート本体のリクライニング方向の移動を阻止して該シート本体を該フレームに固定させるロック手段と、該ロック手段のロックを解除するためのロック解除レバーとを備えてなるチャイルドシートであって、さらに、該チャイルドシートを車両の座席に固定するために、該チャイルドシートに設けられた巻取機と、該巻取機から引き出され車両座席の被係止部材に係止される紐状体と、該巻取機からの該紐状体の引出しを阻止する引出阻止手段を備えてなるチャイルドシートにおいて、前記ロック解除レバーをロック解除方向に移動させたときに該引出阻止手段の引出阻止が解除されるように構成したチャイルドシートであって、前記ロック解除レバーをロック解除方向に移動させると、まず前記シート本体のロック手段がロック解除され、その後、前記引出阻止手段の引出阻止が解除されることを特徴とするものである。
【０００７】
かかるチャイルドシートにおいては、リクライニングのロック解除レバーを操作することによりリクライニングのロック解除とチャイルドシート固定用の紐状体引出阻止手段の引出阻止解除とを併せて行うことができる。
【０００８】
本発明では、ロック解除レバーをロック解除方向に移動させると、まず前記シート本体のロック手段がロック解除され、その後、前記引出阻止手段の引出阻止が解除されるよう構成されている。車両座席に固定されたチャイルドシートのシート本体を背もたれ部が起立する方向にリクライニング角度調整するに際し、まずロック解除レバーを少しだけ引いてシート本体のロックだけを解除する。そして、シート本体を背もたれ部起立方向にリクライニング角度調整する。そうすると、巻取機がシート本体に取り付けられていると、この巻取機と車両座席との間に緊張されていた紐状体が緩む。そこで、巻取機を操作して紐状体を巻き取って緊張させることにより、再びチャイルドシートを車両座席にしっかりと固定することができる。このようにして、既に座席に固定されたチャイルドシートのリクライニング角度を調整するに際し、巻取機の紐状体引出阻止の解除が不要となる。
【０００９】
本発明では、巻取機は、紐状体が巻き付けられる巻取軸と、該巻取軸を巻取方向に回転させるためのハンドルと、該巻取軸と一体に回転する、外周面に歯を有したラチェットホイールと、該ラチェットホイールの歯に係合して該巻取軸の紐状体引出方向への回転を阻止する姿勢と、該歯から離反して該巻取軸の回転を許容する姿勢とをとりうるラチェットホイール回転阻止部材とを備えてなり、該ラチェットホイール回転阻止部材が前記ロック解除レバーのロック解除方向への移動によって該歯から離反することが好ましい。
【００１０】
本発明では、ハンドルから前記巻取軸に伝達されるトルクが所定値以上になるとハンドルを空転させる手段を設けるのが好ましい。このトルクの所定値を、チャイルドシートの固定に十分なベルト張力をもたらすトルク値と設定しておく。そうすると、ハンドルが空転するまでハンドルを回すことにより、チャイルドシートを座席に確実に固定することができる。
【００１１】
【発明の実施の形態】
以下、図面を参照して本発明の実施の形態について説明する。第１図は、実施の形態に係るチャイルドシートを車両の座席に固定した状態を示す側面図、第２図はこのチャイルドシートの分解斜視図、第３図はロック機構を示す平面図、第４図はロック機構を示す斜視図、第５図は巻取機の方向性を示す斜視図、第６図は巻取機の構成を示す縦断面図、第７図は巻取トルク伝達機構を示す断面斜視図である。
【００１２】
第１、２図の通り、座席１０上にチャイルドシート１２が載置され、該座席１０のシートクッション１４とシートバック１６との交叉隅部付近に取り付けられた座席側ベルト１８に対しベルト（紐状体）２０を介してチャイルドシート１２を固定している。
【００１３】
このチャイルドシート１２は、子供が座るシート本体２２と、該シート本体２２をリクライニング可能に支持するフレーム２４とを備えている。フレーム２４の上面には１対のガイドレール２６が設けられており、シート本体２２の底面が該ガイドレール２６に沿ってリクライニング方向に摺動可能とされている。
【００１４】
このガイドレール２６にはピン挿入穴２８が穿設されており、シート本体２２の底面部分にシート幅方向に突設されたシート本体固定ピン３０が該ピン挿入穴２８に挿入されることにより、シート本体２２がガイドレール２６に固定される。
【００１５】
シート本体２２の底面にはレバーケース３４が固定されており、このレバーケース３４内にロック解除レバー３６がシート前後方向に移動可能に収容されている。
【００１６】
第４図に示す通り、レバーケース３４及びロック解除レバー３６はそれぞれシートの前後方向に延在する長方形状のものであり、該レバーケース３４の後部に固着されたステー４０とロック解除レバー３６の後端との間に引張りばね４２を掛け渡すことにより、ロック解除レバー３６を後方に付勢している。
【００１７】
なお、このレバー３６にはその長手方向に延在するガイドスリット４４が穿設されており、レバーケース３４から突設されたガイドピン４６が該ガイドスリット４４に係合し、これによりレバー３６がスムーズに前後方向に移動可能となっている。レバー３６の前端には、このレバー３６を引っ張る時に把むためのグリップ４８が設けられている。
【００１８】
レバーケース３４の底面にはピン支持溝５０がレバーケース３４の幅方向に延設されており、シート本体固定ピン３０の後端部がこのピン支持溝５０に挿入されている。
【００１９】
ロック解除レバー３６には、その長手方向と交差する斜め方向にガイドスリット５２が２本設けられている。このガイドスリット５２、５２は、レバー３６の後方になるほど互いに接近するように配置されている。シート本体固定ピン３０の後端側はこのガイドスリット５２を挿通しており、レバー３６を前後進させることにより、シート本体固定ピン３０が該ガイドスリット５２に案内されてシート幅方向に進退される。
【００２０】
このロック解除レバー３６の後端側には、該レバー３６を幅方向に貫通するスリット５６（第５図）が設けられており、このスリット５６にリンクバー５８が挿通されている。このリンクバー５８は、次に説明する巻取機６０のストッパ（回転阻止部材）６２を作動させるためのものである。
【００２１】
この巻取機６０は、第５〜７図にも示される通り、前記ベルト２０の巻取軸６４と、この巻取軸６４に固定されたラチェットホイール６６と、この巻取軸６４を回すためのダイヤル６８と、ダイヤル６８の回転トルクを巻取軸６４に伝達するための滑り楔７０、７２等を備えて構成されている。
【００２２】
この滑り楔７０はダイヤル６８に対し固定されており、滑り楔７２はこの滑り楔７０に対し引張りばね７４によって引き付けられている。滑り楔７０、７２の対向面にはそれぞれ円弧状の凹部７０ａ、７２ａが設けられており、巻取軸６４の先端側がこの凹部７０ａ、７２ａに係合し、滑り楔７０、７２に挟持されている。
【００２３】
ダイヤル６８を掴んで回すことにより、滑り楔７０、７２から巻取軸６４に対し摩擦力によって回転トルクが伝達され、ベルト２０が巻取軸６４に巻き取られる。ベルト２０の緊張力が所定張力に達すると、凹部７０ａ、７２ａの内周面と巻取軸６４とが滑るようになり、それ以上のトルクの伝達が行われなくなる。
【００２４】
前記ラチェットホイル６６の外周面には爪８０（第４図）が突設されており、前記ストッパ６２がこの爪８０に係合することにより巻取軸６４のベルト引出方向への回転が阻止される。
【００２５】
このストッパ６２は、巻取軸６４の軸心方向と平行方向に延在する軸部８２と、この軸方向と直行方向に延在するアーム部８４とを備えておりこのアーム部８４の先端に前記リンクバー５８が接続されている。
【００２６】
なお、軸部８２は、巻取機のベース８６（第５、６図）に回動可能に支持されており、この軸部８２に巻き付けられたストッパ付勢ばね８８によってストッパ６２が歯８０に係合する方向（第４図θ方向）に付勢されている。前記ロック解除レバー３６を第４図の矢印Ａ方向に引っ張ると、リンクバー５８がアーム部８４をこのθ方向と反対方向に引張り、ストッパ６２が爪８０から離脱し、ラチェットホイル６６及び巻取軸６４が自由回転可能となる。
【００２７】
なお、このリンクバー５８は、シート本体２２に設けられた長孔９０を通ってシート本体２２の側方に突出している。前記巻取機６０のベース８６は、このシート本体２２の側面に固定されており、アーム部８４はこの巻取機６０の下方に垂下している。
【００２８】
なお、巻取機６０はシート本体２２の左右両側に設けられている。座席側ベルト１８も、車両の座席１０に２本設けられており、該座席側ベルト１８の先端に設けられたトング（被係止部材）９２がベルト２０の先端のバックル９４と係合可能とされている。
【００２９】
次に、このように構成されたチャイルドシート１２を座席１０に取り付ける手順について説明する。
【００３０】
まず、チャイルドシート１２を座席１０の上に置き、ロック解除レバー３６を引いた状態で巻取機６０からベルト２０を引き出し、バックル９４とトング９２とを係合させる。なお、シート本体２２の両側のベルト２０、２０のバックル９４、９４をそれぞれトング９２、９２に連結する。
【００３１】
次に、好ましくはチャイルドシート１２を座席１０に対し押し付けた状態で、ダイヤル６８を回してベルト２０を巻き取る。この巻取は、滑り楔７０、７２が巻取軸６４に対し滑るようになるまで行う。これにより、ベルト２０が十分に巻き取られ、チャイルドシート１２が座席１０に対ししっかりと固定される。
【００３２】
このように座席１０に対し固定されたチャイルドシート１２のリクライニング角度を調整する時には、グリップ４８を把んでロック解除レバー３６を手前に引く。ロック解除レバー３６が前方に移動し始めると、ガイドスリット５２に案内されてシート本体固定ピン３０がピン挿入孔２８から抜け出し、シート本体２２がガイドレール２６に対し移動可能な状態となる。ロック解除レバー３６をさらに手前に引くと、リンクバー５８が第５図の如くスリット５６の後端に当接し、該リンクバー５８が第４図の矢印Ｂ方向に移動する。これにより、アーム部８４が矢印Ｂ方向に回動し、ストッパ６２が爪８０から外れる。そして、巻取軸６４がフリーな状態となり、ベルト２０を巻取機６０から引き出し得るようになる。
【００３３】
そこで、シート本体２２をガイドレール２６に沿ってスライドさせ、リクライニング角度を調整する。ロック解除レバー３６が引張りばね４２によって引っ張られているところから、グリップ４８から手を離しておくと、シート本体固定ピン３０とピン挿入穴２８とが合致した時点でピン３０が挿入穴２８に挿入され、シート本体２２がロックされる。所望のリクライニング角度でシート本体２２がロックされたならば、チャイルドシート１２を座席１０に押し付け、ダイヤル６８を回してベルト２０を巻き取る。
【００３４】
このように、このチャイルドシート１２にあっては、シート本体２２のリクライニング角度を調整する時には、ロック解除レバー３６を手前に引く１回の操作だけでシート本体２２のロックと、巻取機６０のロックとを解除することができ、操作が極めて容易である。
【００３５】
なお、シート本体２２の背もたれ部が寝る方向に該シート本体２２をリクライニング角度調整するときには、上記の通りロック解除レバー３６を十分に手前に引いてシート本体２２のガイドレール２６へのロックを解除すると共に巻取機６０のロックをも解除する。シート本体２２を背もたれ部が立つ方向にリクライニング角度調整するときには、ロック解除レバー３６を少しだけ引いて、シート本体２２のガイドレール２６へのロックだけを解除するだけで足りる。
【００３６】
この実施の形態にあっては、ダイヤル６８の回転トルクが滑り楔７０、７２を介して巻取軸６４に伝達されるため、滑り軸７０、７２が滑るまでダイヤル６８を回すことによりベルト２０に所要の緊張力を与えることができる。また、この滑り楔７０、７２が滑り始めたことを知覚するまでダイヤル６８を回せば良く、使用者にとってダイヤル６８を回すめどが立ち、極めて便利である。
【００３７】
上記実施の形態では、紐状体としてベルト２０が採用されているが、ワイヤ、ロープ、チェーンなど各種の紐状体を用いることができる。
【００３８】
【発明の効果】
以上の通り、本発明によるとロック解除レバーを操作することによりリクライニングのロック解除と巻取機のロック解除とを合わせて行うことができ、リクライニング角度調整が極めて容易である。また、チャイルドシートを座席に固定するに際し、滑り楔等の空転手段が滑るまで巻取機を回すように構成することもでき、ベルトの巻き取りのめどが立つので、使用者が固定操作を行い易い。
【図面の簡単な説明】
【図１】実施の形態に係るチャイルドシートを座席に固定した状態を示す側面図である。
【図２】実施の形態に係るチャイルドシートの分解斜視図である。
【図３】実施の形態に係るチャイルドシートのロック機構を示す平面図である。
【図４】実施の形態におけるロック機構を示す斜視図である。
【図５】巻取機の構成を示す斜視図である。
【図６】巻取機の構成を示す縦断面図である。
【図７】巻取機の要部の構成を示す断面斜視図である。
【符号の説明】
１０  座席
１２  チャイルドシート
１８  座席側ベルト
２０  ベルト（紐状体）
２２  シート本体
２４  フレーム
２６  ガイドレール
２８  ピン挿入穴
３０  シート本体固定ピン
３４  レバーケース
３６  ロック解除レバー
４８  グリップ
５８  リンクバー
６０  巻取機
６２  ストッパ（回転阻止部材）
６４  巻取軸
６６  ラチェットホイール
６８  ダイヤル
７０，７２  滑り楔
８０  爪
８４  アーム部
９２  トング（被係止部材）
９４  バックル
【図１】
0003620174.tif 000002
【図２】
0003620174.tif 000003
【図３】
0003620174.tif 000004
【図４】
0003620174.tif 000005
【図５】
0003620174.tif 000006
【図６】
0003620174.tif 000007
【図７】
0003620174.tif 000008